(57)【要約】  かみそりカートリッジ（１０、４０）のアレイ（９）が提供される。アレイは、第１の筐体（１２）と、第１の筐体内に固定される複数個の剃毛ブレード（１６）とを有する第１の剃毛カートリッジ（１１）を含む。第１のフレームは第１の構造を有する。第１のフレーム（２０）は、第１の剃毛カートリッジに固定されて第１のかみそりカートリッジ（１０）を形成する。アレイは、第２の筐体（４２）と、第２の筐体内に固定される複数個の剃毛ブレード（４６）とを有する第２の剃毛カートリッジ（４１）を更に備える。第２の筐体は、第１の筐体と同一である。第２の構造を有する第２のフレーム（５０）は、第２の剃毛カートリッジに固定されて第２のかみそりカートリッジ（４０）を形成する。第２のカートリッジの第２の構造は、第１のカートリッジの第１の構造と異なる。
2010523297.tif 000002
【特許請求の範囲】
【請求項１】
かみそりカートリッジのアレイであって、
第１の筐体と、該第１の筐体内に固定される複数個の剃毛ブレードとを備える第１の剃毛カートリッジであって、該第１の筐体がガードバーとキャップバーとを備える、第１の剃毛カートリッジと、
該第１の剃毛カートリッジに固定されて第１のかみそりカートリッジを形成する第１の構造を有する第１のフレームと、
第２の筐体と、該第２の筐体内に固定される複数個の剃毛ブレードとを備える第２の剃毛カートリッジであって、該第２の筐体がガードバーとキャップバーとを備え、該第２の筐体が該第１の筐体と同一である、第２の剃毛カートリッジと、
該第２の剃毛カートリッジに固定されて第２のかみそりカートリッジを形成する第２の構造を有する第２のフレームであって、該第２の構造が該第１の構造と異なる、第２のフレームと、
を含むアレイ。
【請求項２】
前記第１の剃毛カートリッジ及び前記第２の剃毛カートリッジがそれぞれ２個の剃毛ブレードを備える、請求項１に記載のアレイ。
【請求項３】
前記第１の剃毛カートリッジ及び前記第２の剃毛カートリッジがそれぞれ３個の剃毛ブレードを備える、請求項１に記載のアレイ。
【請求項４】
前記第１の剃毛カートリッジ及び前記第２の剃毛カートリッジがそれぞれ４個の剃毛ブレードを備える、請求項１に記載のアレイ。
【請求項５】
前記第１の剃毛カートリッジ及び前記第２の剃毛カートリッジがそれぞれ５個の剃毛ブレードを備える、請求項１に記載のアレイ。
【請求項６】
前記第１のフレームが第１のガードを備え、前記第２のフレームが該第１のガードと異なる第２のガードを備える、請求項１に記載のアレイ。
【請求項７】
前記第１のフレームが第１のキャップを備え、前記第２のフレームが該第１のキャップと異なる第２のキャップを備える、請求項１に記載のアレイ。
【請求項８】
前記第１のフレームが第１の設置範囲を備え、前記第２のフレームが該第１の設置範囲と異なる第２の設置範囲を備える、請求項１に記載のアレイ。
【請求項９】
前記第１のフレームが第１の周縁部を備え、前記第２のフレームが該第１の周縁部と異なる第２の周縁部を備える、請求項１に記載のアレイ。
【請求項１０】
かみそりカートリッジのアレイであって、
第１の筐体と、該第１の筐体内に固定される複数個の第１の剃毛ブレードとを備える第１の剃毛カートリッジであって、該第１の筐体がガードバーとキャップバーとを備える、第１の剃毛カートリッジと、
該第１の剃毛カートリッジに固定されて第１のかみそりカートリッジを形成する第１の構造を有する第１のフレームと、
第２の筐体と、該第２の筐体内に固定される複数個の第２の剃毛ブレードとを備える第２の剃毛カートリッジであって、該第２の筐体がガードバーとキャップバーとを備え、該第２の剃毛カートリッジが該第１の剃毛カートリッジと同一である、第２の剃毛カートリッジと、
該第２の剃毛カートリッジに固定されて第２のかみそりカートリッジを形成する第２の構造を有する第２のフレームであって、該第２の構造が該第１の構造と異なる、第２のフレームと、
を含むアレイ。
【請求項１１】
前記第１のフレームが第１のガードを備え、前記第２のフレームが該第１のガードと異なる第２のガードを備える、請求項１０に記載のアレイ。
【請求項１２】
前記第１のフレームが第１のキャップを備え、前記第２のフレームが該第１のキャップと異なる第２のキャップを備える、請求項１０に記載のアレイ。
【請求項１３】
前記第１のフレームが第１の設置範囲を備え、前記第２のフレームが該第１の設置範囲と異なる第２の設置範囲を備える、請求項１０に記載のアレイ。
【請求項１４】
前記第１のフレームが第１の周縁部を備え、前記第２のフレームが該第１の周縁部と異なる第２の周縁部を備える、請求項１０に記載のアレイ。
【請求項１５】
かみそりカートリッジのアレイであって、
第１の筐体と、該第１の筐体内に固定される複数個の剃毛ブレードとを備える第１の剃毛カートリッジであって、該第１の筐体がガードバーとキャップバーとを備える、第１の剃毛カートリッジと、
該第１の剃毛カートリッジに固定されて第１のかみそりカートリッジを形成する第１の構造を有する第１のフレームと、
第２の筐体と、該第２の筐体内に固定される複数個の剃毛ブレードとを備える第２の剃毛カートリッジであって、該第２の筐体がガードバーとキャップバーとを備え、該第２の筐体が該第１の筐体と同一である、第２の剃毛カートリッジと、
該第２の剃毛カートリッジに固定されて第２のかみそりカートリッジを形成する第２の構造を有する第２のフレームであって、該第２の構造が該第１の構造と異なる第２のフレームと、
第３の筐体と、該第３の筐体内に固定される複数個の剃毛ブレードとを備える第３の剃毛カートリッジであって、該第３の筐体がガードバーとキャップバーとを備え、該第３の筐体が該第１及び該第２の筐体と同一である、第３の剃毛カートリッジと、
該第３の剃毛カートリッジに固定されて第３のかみそりカートリッジを形成する第３の構造を有する第３のフレームであって、該第３の構造が該第１及び第２の構造と異なる、第３のフレームと、
を含むアレイ。
【請求項１６】
かみそりカートリッジのアレイであって、
第１の筐体と、該第１の筐体内に固定される複数個の剃毛ブレードとを備える第１の剃毛カートリッジであって、該第１の筐体がガードバーとキャップバーとを備える、第１の剃毛カートリッジと、
該第１の剃毛カートリッジに固定されて第１のかみそりカートリッジを形成する第１の構造を有する第１のフレームと、
第２の筐体と、該第２の筐体内に固定される複数個の剃毛ブレードとを備える第２の剃毛カートリッジであって、該第２の筐体がガードバーとキャップバーとを備え、該第２の剃毛カートリッジが該第１の剃毛カートリッジと同一である、第２の剃毛カートリッジと、
該第２の剃毛カートリッジに固定されて第２のかみそりカートリッジを形成する第２の構造を有する第２のフレームであって、該第２の構造が該第１の構造と異なる、第２のフレームと、
第３の筐体と、該第３の筐体内に固定される複数個の剃毛ブレードとを備える第３の剃毛カートリッジであって、該第３の筐体がガードバーとキャップバーとを備え、該第３の剃毛カートリッジが該第１及び第２の剃毛カートリッジと同一である、第３の剃毛カートリッジと、
該第３の剃毛カートリッジに固定されて第３のかみそりカートリッジを形成する第３の構造を有する第３のフレームであって、該第３の構造が該第１及び第２の構造と異なる、第３のフレームと、
を含むアレイ。
【発明の詳細な説明】
【技術分野】
【０００１】
本発明はかみそりカートリッジ構造のアレイを目的とする。
【背景技術】
【０００２】
かみそりカートリッジは、ユーザーの毛髪を切断する又は剃るように設計されている。カートリッジは、少なくとも１つの鋭利な縁部を有する１つ以上のブレードを備える。ブレードは、一般にハウジングと呼ばれるものによって定位置に保持される。ハウジングは、典型的には、剃毛の全体的な経験を改善するための１つ以上の特徴を有する。このような一般的な特徴には、ハウジング上のブレードの前方に位置するガードと、ブレードの後方に位置するキャップとが含まれる。ガードは、多くの場合エラストマー部材を含み、キャップは多くの場合ある種の潤滑ストリップを含む。
【０００３】
膨大な数のかみそりカートリッジ構造が現在市販されている。大きなガードを有するものもあり、小さなガードを有するものもあり、いくつかのガードはフィンを有するエラストマー部材を有し、他のガードは凹を有するエラストマー部材を有し、いくつかのガードは潤滑ストリップを有する。同様に、大きなキャップを有するかみそりカートリッジもあり、小さなキャップを有するかみそりカートリッジもあり、いくつかのキャップは潤滑ストリップを有する。
【０００４】
消費者の要求に応じるため、数多くの設計が構成されてきた。数多く設計するにはコストがかかるが、それと等しい努力がそれぞれの設計に払われている。即ち、各カートリッジはゼロから設計され、その結果、１つのカートリッジを製造するために用いられる成形型及び製造設備のいずれもが、異なる設計のカートリッジの製造に利用することはできない。例えば、ジレット（Gillette）（商標）マッハスリー（Mach3）（商標）かみそりカートリッジの製造に使用される成形型及び製造設備は、ジレット（Gillette）（商標）フュージョン（Fusion）（商標）かみそりカートリッジを製造するために使用することはできない。製品デザイン、成形型及び製造設備のコストを各製品ごとに別々にしなければならないので、これは結果的に原価高となる。したがって、コスト削減のための代替設計と、消費者の要求に応じた様々なかみそりカートリッジを製造するための努力とが要求されている。
【発明の概要】
【発明が解決しようとする課題】
【０００５】
もしもブレードを収容する標準的な筐体から始め、標準的な筐体に様々な構造のフレームを追加する柔軟性を有することができれば、コストや努力の大部分を排除することができる。
【課題を解決するための手段】
【０００６】
本発明によって、かみそりカートリッジのアレイが提供される。アレイは、第１の筐体と、第１の筐体内に固定される複数個の剃毛ブレードとを備える第１の剃毛カートリッジを含む。第１の筐体は、ガードバーとキャップバーとを備える。第１の構造を有する第１のフレームは、第１の剃毛カートリッジに固定されて第１のかみそりカートリッジを形成する。アレイは、第２の筐体と、第２の筐体内に固定される複数個の剃毛ブレードとを備える第２の剃毛カートリッジを更に含む。第２の筐体は、ガードバーとキャップバーとを備える。第２の筐体は、第１の筐体と同一である。第２の構造を有する第２のフレームは、第２の剃毛カートリッジに固定されて第２のかみそりカートリッジを形成する。第２のフレームの第２の構造は、第１のフレームの第１の構造と異なる。
【０００７】
本発明の別の態様によって、かみそりカートリッジのアレイが提供される。アレイは、第１の筐体と、第１の筐体内に固定される複数個の剃毛ブレードとを備える第１の剃毛カートリッジを含む。第１の筐体は、ガードバーとキャップバーとを備える。第１の構造を有する第１のフレームは、第１の剃毛カートリッジに固定されて第１のかみそりカートリッジを形成する。アレイは、第２の筐体と、第２の筐体内に固定される複数個の剃毛ブレードとを備える第２の剃毛カートリッジを更に含む。第２の筐体は、ガードバーとキャップバーとを備える。第２の剃毛カートリッジは、第１の剃毛カートリッジと同一である。第２の構造を有する第２のフレームは、第２の剃毛カートリッジに固定されて第２のかみそりカートリッジを形成する。第２のフレームの第２の構造は、第１のフレームの第１の構造と異なる。
【０００８】
第１及び第２の剃毛カートリッジは、２個、３個、４個、５個、６個又はそれ以上の剃毛ブレードを備えてもよい。
【０００９】
第１のフレームは第１のガードを備え、第２のフレームは第１のガードと異なる第２のガードを備える。
【００１０】
第１のフレームは第１のキャップを備え、第２のフレームは第１のキャップと異なる第２のキャップを備える。
【００１１】
第１のフレームは第１の設置範囲を備え、第２のフレームは第１の設置範囲と異なる第２の設置範囲を備える。
【００１２】
第１のフレームは第１の周縁部を備え、第２のフレームは第１の周縁部と異なる第２の周縁部を備える。
【００１３】
本発明の別の態様によって、かみそりカートリッジのアレイが提供される。アレイは、第１の筐体と、第１の筐体内に固定される複数個の剃毛ブレードとを備える第１の剃毛カートリッジを含む。第１の筐体は、ガードバーとキャップバーとを備える。第１の構造を有する第１のフレームは、第１の剃毛カートリッジに固定されて第１のかみそりカートリッジを形成する。アレイは、第２の筐体と、第２の筐体内に固定される複数個の剃毛ブレードとを備える第２の剃毛カートリッジを更に含む。第２の筐体は、ガードバーとキャップバーとを備える。第２の筐体は、第１の筐体と同一である。第２の構造を有する第２のフレームは、第２の剃毛カートリッジに固定されて第２のかみそりカートリッジを形成する。第２のフレームの第２の構造は、第１のフレームの第１の構造と異なる。アレイは、第３の筐体と、第３の筐体内に固定される複数個の剃毛ブレードとを備える第３の剃毛カートリッジを更に含む。第３の筐体は、ガードバーとキャップバーとを備える。第３の筐体は、第１及び第２の筐体と同一である。第３の構造を有する第３のフレームは、第３の剃毛カートリッジに固定される。第３のフレームの第３の構造は、第１及び第２のフレームの構造と異なる。
【００１４】
本発明の別の態様によって、かみそりカートリッジのアレイが提供される。アレイは、第１の筐体と、第１の筐体内に固定される複数個の剃毛ブレードとを備える第１の剃毛カートリッジを含む。第１の筐体は、ガードバーとキャップバーとを備える。第１の構造を有する第１のフレームは、第１の剃毛カートリッジに固定されて第１のかみそりカートリッジを形成する。アレイは、第２の筐体と、第２の筐体内に固定される複数個の剃毛ブレードとを備える第２の剃毛カートリッジを更に含む。第２の筐体は、ガードバーとキャップバーとを備える。第２の剃毛カートリッジは、第１の剃毛カートリッジと同一である。第２の構造を有する第２のフレームは、第２の剃毛カートリッジに固定されて第２のかみそりカートリッジを形成する。第２のフレームの第２の構造は、第１のフレームの第１の構造と異なる。アレイは、第３の筐体と、第３の筐体内に固定される複数個の剃毛ブレードとを備える第３の剃毛カートリッジを更に含む。第３の筐体は、ガードバーとキャップバーとを備える。第３の剃毛カートリッジは、第１及び第２の剃毛カートリッジと同一である。第３の構造を有する第３のフレームは、第３の剃毛カートリッジに固定される。第３のフレームの第３の構造は、第１及び第２のフレームの構造と異なる。
【図面の簡単な説明】
【００１５】
本明細書は、本発明を構成するとみなされる対象を具体的に指摘し、明確に請求する請求項をもって結論とするが、本発明は添付の図面とともに考慮される次の説明からよりよく理解されるものと考えられる。
【図１】本発明のかみそりカートリッジのアレイの図。
【図２】本発明の剃毛カートリッジの斜視図。
【図３】ブレードが取り外されている図２の筐体の頂面図。
【図４】第１のフレームの斜視図。
【図５】第２のフレームの斜視図。
【図６】本発明のかみそりカートリッジのアレイの図。
【発明を実施するための形態】
【００１６】
ここで図１を参照すると、第１のかみそりカートリッジ１０と第２のかみそりカートリッジ４０とを含むかみそりカートリッジのアレイ９が示されている。第１のかみそりカートリッジ１０は、第１の剃毛カートリッジ１１と、第１の剃毛カートリッジ１１に固定される第１のフレーム２０とを備える。第１の剃毛カートリッジ１１は、第１の筐体１２と、第１の筐体１２内に固定される複数個の剃毛ブレード１６とを備える。第１の筐体１２は、ガードバー１３とキャップバー１４とを有する。ガードバー１３は、ブレード１６の前方で又は前に皮膚と接触し、キャップバー１４は、ブレード１６の後方で又は後に皮膚と接触する。一対のクリップ１９がブレード１６を第１の筐体１２内に固定する。第１の筐体１２は、第１の構造を有する。第１の剃毛カートリッジ１１は、第１の構造を有する。第１のフレーム２０は、第１の構造を有する。
【００１７】
第２のかみそりカートリッジ４０は、第２の剃毛カートリッジ４１と、第２の剃毛カートリッジ４１に固定される第２のフレーム５０とを備える。第２の剃毛カートリッジ４１は、第２の筐体４２と、第２の筐体４２内に固定される複数個の剃毛ブレード４６とを備える。第２の筐体４２は、ガードバー４３とキャップバー４４とを有する。ガードバー４３は、ブレード４６の前方で又は前に皮膚と接触し、キャップバー４４は、ブレード４６の後方で又は後に皮膚と接触する。一対のクリップ４９が、ブレード４６を第２の筐体４２内に固定する。第２の筐体４２は、第２の構造を有する。第２の筐体４２の第２の構造は、第１の筐体１２の第１の構造と同一である。第２の剃毛カートリッジ４１は、第２の構造を有する。第２のフレーム５０は、第２の構造を有する。第２のフレーム５０の第２の構造は、第１のフレーム２０の第１の構造と異なる。
【００１８】
第１の筐体１２及び第２の筐体４２は、本発明の筐体を形成する。第１の筐体１２及び第２の筐体４２は、互いに同一である。多くの消費者の要求を満たすために、同一である単一かみそりカートリッジを供給するだけでは、全消費者の興味をひくことはできない。したがって、消費者の要求を満たすため、本発明は、同一の筐体を剃毛カートリッジの基礎として利用し、それらに独自のフレームを固定して独自のかみそりカートリッジを形成する。独自のフレームは、消費者の様々な要求を満たすようにカスタマイズすることができる。
【００１９】
第１の剃毛カートリッジ１１及び第２の剃毛カートリッジ４１は、それぞれが５個のブレードを有して示されている。第１及び第２の剃毛カートリッジのブレードの数は、所望の剃毛をもたらすように選択することができる。例えば、第１及び第２の剃毛カートリッジは、２個、３個、４個、５個、６個、又はそれ以上のブレードを有してよい。
【００２０】
図１からわかるように、第１のフレーム２０の構造は第２のフレーム５０の構造と異なる。第１のフレーム２０の周縁部２２の形状は、第２のフレーム５０の周縁部５２の形状と異なる。第１のフレーム２０の潤滑部材２４の寸法及び形状は、第２のフレーム５０の潤滑部材５４の寸法及び形状と異なる。第１のフレーム２０のエラストマーフィン２７を備えるエラストマー部材２６の寸法及び形状は、第２のフレーム５０のエラストマーフィン５７を備えるエラストマー部材５６の寸法及び形状と異なる。上記相違のどれか１つが、第２のフレーム５０の独自の設置範囲と異なる、第１のフレーム２０の独自の設置範囲をもたらす。設置範囲とは、フレームを粘土のような成形可能な塊に押しつけた後取り外したときに見られるであろう圧痕である。フレームを取り外した後に残るのが、フレームの設置範囲である。第１及び第２のフレームの設置範囲にはその他の違いも存在し、これらは本概念の一例としてのみ与えられる。
【００２１】
第１のフレーム２０は、第１のガード３０と第１のキャップ３１とを有する。第１のガード３０はブレード１６の前方で又はブレード１６の前に皮膚と接触し、第１のキャップ３１はブレード１６の後方で又はブレード１６の後に皮膚と接触する。第１のガード３０は多くの場合、前述したエラストマー部材と潤滑部材とを含む。第１のキャップ３１は多くの場合、潤滑部材３３のような潤滑部材を含む。
【００２２】
第２のフレーム５０は、第２のガード６０と第２のキャップ６１とを有する。第２のガード６０はブレード４６の前方で又はブレード４６前に皮膚と接触し、第２のキャップ６１はブレード４６の後方で又はブレード４６後に皮膚と接触する。第２のガード６０は多くの場合、前述したエラストマー部材と潤滑部材とを含む。第２のキャップ６１は多くの場合、潤滑部材６３のような潤滑部材を含む。
【００２３】
第２のフレーム５０の第２のガード６０は、第１のフレーム２０の第１のガード３０と異なる。第２のフレーム５０の第２のキャップ６１は、第１のフレーム２０の第１のキャップ３１と異なる。
【００２４】
ここで図２及び３を参照すると、剃毛カートリッジ１１、４１及びそれぞれの筐体１２、４２が示されている。第１の筐体１２及び第２の筐体４２は同一であるので、一方の筐体のみが図示される。筐体１２、４２は、ガードバー１３とキャップバー１４とを備える。複数個のブレード１６が一対のクリップ１９によって筐体１２、４２内に固定されて、剃毛カートリッジ１１、４１を形成する。ブレード１６は、クリップ１９によって筐体１２、４２内に固定されて示されているが、他の方法を利用してブレード１６を筐体１２、４２内に固定してもよい。筐体１２、４２は、一対の対向する側壁１２Ａと一対の対向する端部壁１２Ｂとを備える。対向する側壁１２Ａはそれぞれ、多数の突起１５と多数の凹部１７とを備える。側壁１２Ａと端部壁１２Ｂとで開口部を画定し、その中にブレード１６が配置される。図３からわかるように、筐体１２、４２は、各端部壁１２Ｂから延びる複数個のバネ１８を更に備える。各バネ１８は、ブレードを保持する（図３では図示せず）。
【００２５】
ここで図４を参照すると、第１のフレーム２０の斜視図が示されている。第１のフレーム２０は、剃毛カートリッジ１１、４１を受容するための開口部７０を有する。一対の対向する壁７１、７２は、開口部７０の一部分を画定する。壁７１は、多数の突起７３と多数の開口部７４とを有する。突起７３が剃毛カートリッジ１１、４１の凹部１７と嵌合し、一方剃毛カートリッジ１１、４１の突起１５が壁７１の凹部７４と嵌合して、剃毛カートリッジ１１、４１を第１のフレーム２０に結合し、図１に示される第１のかみそりカートリッジ１０を形成する。壁７２はまた、壁７１にあるのと同様の多数の突起と開口部とを有する。
【００２６】
ここで図５を参照すると、第２のフレーム５０の斜視図が示されている。第２のフレーム５０は、剃毛カートリッジ１１、４１を受容するための開口部８０を有する。一対の対向する壁８１、８２は、開口部８０の一部分を画定する。壁８１は、多数の突起８３と多数の凹部８４とを有する。突起８３が剃毛カートリッジ１１、４１の凹部１７と嵌合し、一方剃毛カートリッジ１１、４１の突起１５が壁８１の凹部８４と嵌合して、剃毛カートリッジ１１、４１を第２のフレーム５０に結合し、図１に示される第２のかみそりカートリッジ４０を形成する。壁８２はまた、壁８１にあるのと同様の多数の突起と開口部とを有する。
【００２７】
図１に示されるアレイでは、第１の剃毛カートリッジは、第２の剃毛カートリッジと同一である。即ち、同一の第１及び第２の筐体に追加されるその他の構成要素もまた同一である。そのような構成要素には、クリップ及びブレードが挙げられる。
【００２８】
いくつかのアレイでは、同一の筐体を使用するが同一のブレードを使用しないことが有利であり得る。他のアレイでは、同一の筐体を使用するが同一のクリップを使用しないことが有利であり得る。これらは、同一の筐体の利点をうまく利用しながら剃毛カートリッジにいくらかの柔軟性をもたせる代替アレイのわずかな例にすぎない。このような柔軟性により、消費者の要求を満たすようにかみそりカートリッジを作ることが可能となる。
【００２９】
ここで図６を参照すると、第１のかみそりカートリッジ１００と、第２のかみそりカートリッジ１２０と、第３のかみそりカートリッジ１４０と、を含むかみそりカートリッジのアレイ９９が示されている。
【００３０】
第１のかみそりカートリッジ１００は、第１の剃毛カートリッジ１０１と、第１の剃毛カートリッジ１０１に固定される第１のフレーム１１０とを備える。第１の剃毛カートリッジ１０１は、第１の筐体１０２と、第１の筐体１０２内に固定される複数個の剃毛ブレード１０３とを備える。第１の筐体１０２は、ガードバー１０４とキャップバー１０５とを備える。一対のクリップ１０６は、ブレード１０３を第１の筐体１０２内に固定する。第１の筐体１０２は第１の構造を有する。第１の剃毛カートリッジ１０１は第１の構造を有する。第１のフレーム１１０は第１の構造を有する。
【００３１】
第２のかみそりカートリッジ１２０は、第２の剃毛カートリッジ１２１と、第２の剃毛カートリッジ１２１に結合される第２のフレーム１３０とを備える。第２の剃毛カートリッジ１２１は、第２の筐体１２２と、第２の筐体１２２内に固定される複数個の剃毛ブレード１２３とを備える。第２の筐体１２２は、ガードバー１２４とキャップバー１２５とを有する。一対のクリップ１２６は、ブレード１２３を第２の筐体１２２内に固定する。第２の筐体１２２は第２の構造を有する。第２の筐体１２２は第１の筐体１０２と同一である。第２の剃毛カートリッジ１２１は第２の構造を有する。第２の剃毛カートリッジ１２１は第１の剃毛カートリッジ１０１と同一である。第２のフレーム１３０は第２の構造を有する。第２のフレーム１３０の第２の構造は、第１のフレーム１１０の第１の構造と異なる。
【００３２】
第３のかみそりカートリッジ１４０は、第３の剃毛カートリッジ１４１と、第３の剃毛カートリッジ１４１に結合される第３のフレーム１５０とを備える。第３の剃毛カートリッジ１４１は、第３の筐体１４２と、第３の筐体１４２に固定される複数個の剃毛ブレード１４３とを備える。第３の筐体１４２は、ガードバー１４４とキャップバー１４５とを有する。一対のクリップ１４６は、ブレード１４３を第３の筐体１４２内に固定する。第３の筐体１４２は第３の構造を有する。第３の筐体１４２は、第１の筐体１０２及び第２の筐体１２２と同一である。第３の剃毛カートリッジ１４１は第３の構造を有する。第３の剃毛カートリッジ１４１は、第１の剃毛カートリッジ１０１及び第２の剃毛カートリッジ１２１と同一である。第３のフレーム１５０は第３の構造を有する。第３のフレーム１５０の第３の構造は、第１のフレーム１１０の第１の構造及び第２のフレーム１３０の第２の構造の両方と異なる。
【００３３】
図１及び６に図示されるアレイはそれぞれ、２個及び３個のかみそりカートリッジから構成される。しかしながら、本発明は２個又は３個のかみそりカートリッジのアレイに限定されない。例えば、アレイは４個以上のかみそりカートリッジを含んでもよい。
【００３４】
本明細書に開示されている寸法及び値は、列挙した正確な数値に厳しく限定されるものとして理解すべきではない。それよりむしろ、特に規定がない限り、こうした各寸法は、列挙された値とその値周辺の機能的に同等の範囲との両方を意味することを意図している。例えば、「４０ｍｍ」として開示された寸法は、「約４０ｍｍ」を意味することを意図する。
【００３５】
「発明を実施するための形態」で引用した全ての文献は、その関連部分において本明細書に参照により組み込まれ、いかなる文献の引用も、それが本発明に対する先行技術であることを認めるものと解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００３６】
本発明の特定の諸実施形態を図示し、記載したが、本発明の趣旨及び範囲から逸脱することなく他の様々な変更及び修正を実施できることは当業者には自明であろう。したがって、本発明の範囲内にあるかような全ての変更及び修正は、添付の特許請求の範囲に包含されるものとする。
【図１】
2010523297.tif 000003
【図２】
2010523297.tif 000004
【図３】
2010523297.tif 000005
【図４】
2010523297.tif 000006
【図５】
2010523297.tif 000007
【図６】
2010523297.tif 000008
【国際調査報告】
2010523297.tif 000009
2010523297.tif 000010
2010523297.tif 000011